(57)【要約】【課題】歯科用リテーナーにおいて、歯の唇側に配されたワイヤーの外観上の審美性を優れたものとし、しかも保持安定性を向上させ、把持力の優れたものとすること。【解決手段】歯列矯正後に装着し、該歯列を矯正後の状態に保定する歯科用リテーナーのワイヤー外周面に巻装される外装部材を、巻装されるワイヤー外径以下の内径の螺旋形状に弾性材より形成した。これにより、外装部材をワイヤーの外周から巻きつけてリテーナーのワイヤーに正確に装着でき、ワイヤーの把持力を向上させ、審美性を付与させることができる。また外装部材を巻き解くことにより、外装部材をリテーナーから容易に取り外し、洗浄、交換等が繰り返しできる。外装部材の内径を、ワイヤーの外径よりも小さいものとしたので巻きつけるのみでワイヤーへの取り付け、固着を可能にさせる。【選択図】　　　　　図１
0003098699.tif 000002
【実用新案登録請求の範囲】
【請求項１】
歯列矯正、保定用に口腔内に装着される矯正装置のワイヤー外周部分に設けられる円筒状の弾性材からなる外装部材であって、前記ワイヤーの外径以下の内径で、螺旋形状に形成されていることを特徴とする外装部材。
【請求項２】
歯列矯正後に装着し、矯正後の状態に前記歯列を保定する歯科用リテーナーのワイヤー外周面に設けられる円筒状の弾性材からなるリテーナー用外装部材であり、前記ワイヤーの外径以下の内径で、螺旋形状に形成されていることを特徴とするリテーナー用外装部材。
【請求項３】
チューブに、該チューブの長手方向に沿って一端から他方の端部まで連続した切り込みを螺旋状に設けて形成したことを特徴とする請求項２に記載のリテーナー用外装部材。
【請求項４】
ワイヤーに巻装した後、端部を溶着するものとした請求項２または３に記載のリテーナー用外装部材。
【請求項５】
前記外装部材を設ける前記歯列の色調に合わせて該外装部材を彩色してなる請求項２〜４のいずれか１項に記載のリテーナー用外装部材。
【請求項６】
前歯部分の唇側に渡されたワイヤーに巻き付けることとした請求項２〜５のいずれか１項に記載のリテーナー用外装部材。
【請求項７】
請求項２〜５のいずれか１項に記載のリテーナー用外装部材を歯列の唇側に沿って配設されたワイヤーに巻き付けてなる歯科用リテーナー。
【考案の詳細な説明】
【０００１】
【考案の属する技術分野】
本考案は、歯列を矯正し、また保定するため口腔内に装着される歯科用矯正装置のワイヤー部分に取り付けるチューブ状の外装部材に関する。
【０００２】
【従来の技術】
例えば歯科用リテーナーは、歯の外側面に接触する唇側のワイヤーと、歯の内側面に適合する凹凸を備えた合成樹脂部とからなり、ワイヤーと合成樹脂部の凹凸との間の隙間部に歯を挿嵌することにより歯に嵌着させ、矯正された歯列の並びが矯正前の状態に戻ることを防ぐ構成となっている。
【０００３】
ところが従来の歯科用リテーナーは、唇側のワイヤー線が歯列の前面に見えてしまうことにより外観上の審美性が悪く、歯科用リテーナーによる矯正歯の保定期間中、患者に対し負担がかかっていた。例えば、目立たないブラケットや舌側矯正をした患者にとっては、特に負担が大きいものとなっていた。しかもワイヤーは弾性に乏しく安定性が不十分で保持力に欠けるものとなっていた。
【０００４】
そこで、前歯の唇側に渡される保持部を透明のプラスチック部材から形成し、前歯部分の保持部を目立たたなくし、かつ歯列に合わせて保持部を変形させる考案がなされている。（例えば、特許文献１参照。）
また歯列を矯正するため口腔内に装着される矯正装置のワイヤー部分、特に頬の内側にあたるワイヤーなどに、歯科用のシリコン製チューブを通し金属製のワイヤーが直接口内に触れるのを防止することが行われている。
【０００５】
【特許文献１】
実登３０６２２９０号公報。
【０００６】
【考案が解決しようとする課題】
しかしながら実登３０６２２９０号公報に記載のリテーナーは、保持部をポリエチレンテレフタレート等の合成樹脂により予めワイヤーに作りこむ必要があり、製作に手間がかかる。またリテーナーから保持部を取り外すことはできず、保持部のみを洗浄したり、保持部が破損したときに保持部を取り外して交換することなどができなかった。
【０００７】
また、従来矯正装置に用いられているワイヤーの一部へチューブを取り付けるには、予めチューブをワイヤーに通してから矯正装置を製作するか、完成された後においては矯正装置からワイヤーの一端を外し、外したワイヤーの端部からチューブを通し、チューブを通した後ワイヤーの一端を再びロウ付け等で固定させていた。したがって、矯正装置のワイヤーにチューブを取り付けることは容易にできず、更にロウ付けの加熱により、金属部分の強度が低下するいわゆるなまりが生じることがあった。また、矯正装置に組み付けられたチューブは、チューブが破損したり汚れた場合でも交換作業に手間がかかることからそのまま使い続けているのが現状で、不衛生でもあった。
【０００８】
更にリテーナー（保定装置）においても、ワイヤー部分にチューブを通すことが考えられているが、矯正装置同様に手間とコストがかかる点から従来ほとんど行われていなかった。
【０００９】
本考案は、リテーナーその他の矯正装置の保持安定性、把持力を向上させ、しかも外観上の審美性を優れたものとすると共に、容易に取り付け、取り外しができ、衛生的で、矯正歯の保定期間中などの患者に対する負担を小さくできる矯正装置用の外装部材を提供することを目的とする。
【００１０】
【課題を解決するための手段】
本考案は、上記課題を解決するため次のように構成した。
【００１１】
請求項１に記載の考案は、歯列矯正、保定用に口腔内に装着される矯正装置のワイヤー外周部分に設けられる円筒状の弾性材からなる外装部材であって、前記ワイヤーの外径以下の内径で、螺旋形状に形成して構成した。これにより、ワイヤーの把持力を向上させ、審美性を付与させることができる。また弾性材の外装部材をワイヤーの外周から巻きつけて矯正装置のワイヤーに正確に装着できる。また外装部材を巻き解くことにより、矯正装置から容易に取り外し、洗浄、交換等が繰り返しできる。外装部材の内径を、ワイヤーの外径以下としたのでワイヤーへの取り付け、固着を可能にさせる。
【００１２】
請求項２に記載の考案は、歯列矯正後に装着し、該歯列を矯正後の状態に保定する歯科用リテーナーのワイヤー外周面に設けられる円筒状の弾性材からなるリテーナー用外装部材を、ワイヤーの外径以下の内径で、螺旋形状に形成して構成した。これにより、ワイヤーの把持力を向上させ、審美性を付与させることができる。また弾性材の外装部材をワイヤーの外周から巻きつけてリテーナーのワイヤーに正確に装着できる。また外装部材を巻き解くことにより、リテーナーから容易に取り外し、洗浄、交換等が繰り返しできる。外装部材の内径を、ワイヤーの外径以下としたのでワイヤーへの取り付け、固着を可能にさせる。
【００１３】
請求項３に記載の考案によれば、請求項２に記載のリテーナー用外装部材において、チューブに、該チューブの長手方向に沿って一端から他方の端部まで連続した切り込みを螺旋状に設けて形成した。これにより、リテーナー用外装部材を安価で、かつ容易に形成できる。
【００１４】
請求項４に記載の考案によれば、請求項２または３に記載のリテーナー用外装部材において、ワイヤーに巻装した後、端部を溶着するものとした。これにより、ワイヤーに巻装した外装部材をワイヤーから容易にはずれないようにできる。尚、溶着は外装部材の両端部に限らず、端部以外の一部、あるいは外装部材全体に行ってもよく、更にワイヤーに外装部材を溶着させてもよい。また外装部材を溶着した場合は、切断してワイヤーから容易に外すことができる。
【００１５】
請求項５に記載の考案によれば、請求項２〜４のいずれか１項に記載のリテーナー用外装部材において、外装部材が設けられる歯列の色調に合わせて外装部材に彩色を施した。彩色は、外装部材表面への彩色であっても、材料自体の着色であってもよい。これにより、外装部材、すなわち外装部材を巻装したワイヤーを目立たなくすることができる。
【００１６】
請求項６に記載の考案によれば、請求項２〜５のいずれか１項に記載のリテーナー用外装部材を、前歯部分の唇側に渡されたワイヤーに巻き付けることとした。これにより前歯部分の保持力を増強でき、歯と色調を同じにすることにより前歯部分のワイヤーを目立たなくできる。
【００１７】
請求項７に記載の考案によれば、請求項２〜５のいずれか１項に記載のリテーナー用外装部材を歯列の唇側に沿って配設されたワイヤーに巻き付けて歯科用リテーナーを構成した。かかる歯科用リテーナーによれば、口をあけたときに最も目立つ前歯唇側のワイヤーを目立たなくでき、また外装部材が有する弾性によりリテーナーの保定力を向上できる。
【００１８】
【考案の実施の形態】
本考案の外装部材の実施の形態を図面を参照して説明する。
【００１９】
図１に、外装部材としての保護チューブ１を示す。保護チューブ１は、例えば内径０．４６ｍｍや０．７１ｍｍ程度の既成のチューブからなり、チューブの長手方向に沿って螺旋状の切込部２を一端から他端まで連続して形成し、この切込部２を開いて、ワイヤー等に外周から着脱が容易に行えるようにしてある。
【００２０】
チューブは、歯科用の可撓性を有するエラスチックチューブであり、内径は、巻き付けするワイヤーの外径以下で、口内での使用に支障のない材質から形成されている。またチューブには、例えば乳白色、褐色等の歯の色調に類似した様々の色に彩色したものが用意されている。尚、チューブはこれらに限るものではなく、ワイヤーの外径より内径が太くともよく、更にチューブでなく帯状の部材を螺旋状に巻回して保護チューブ１を成形してもよい。また、歯肉上に渡されたワイヤーにおいては、歯肉に適合した色を用いてもよく、更に異なる色のチューブを一本のワイヤーに複数用いてもよい。
【００２１】
次に、保護チューブ１を巻き付けたリテーナーの例について説明する。
【００２２】
上顎に装着する歯科用リテーナー８を図４に示す。リテーナー８は図に示すように、第一大臼歯をＣクラスプ１０で囲み、口蓋の辺縁レジン床１１には歯の舌側面に適合する凹凸を有し、これにＣクラスプ１０から歯の舌側面に沿って延長された補強ワイヤー１２が埋め込まれ、さらに、口蓋後縁を横切りＣクラスプ１０、１０間に架橋ワイヤー１３がろう着され、同様に埋め込まれている。また、ワイヤー１４がＣクラスプ１０にろう着され、前歯唇側に沿わせている。尚、最後端の臼歯をＣクラスプ１０で囲む場合もある。
【００２３】
保護チューブ１は、図２に示すように、先ず両端側を左右の手の指で持ちながら、切込部２の巻回方向に対し反対方向に捻回して切込部２を拡開し、図２に示すように、歯列の前面に沿って配設される唇側のワイヤー１４に、この拡開した切込部２を端から順次挿入してゆく。
【００２４】
そして挿入後に捻回力を解放し、例えば螺旋方向に若干捻回するか、あるいは切込部２の保形力に任せて切込部２を閉塞することで、ワイヤー１４の両側に略Ｕ字状に形成された支持部１４Ａの間に挟持された状態に保護チューブ１が嵌着される。
【００２５】
ワイヤー１４に取り付けた後、保護チューブ１の両端を必要に応じて溶着する。更に必要の場合は、切込部２の全体を溶着させ、ワイヤー１４に保護チューブ１を一体化させても良い。
【００２６】
このようにワイヤー１４に唇側の歯の色調に類似した保護チューブ１を適宜選択して嵌着することで、前歯の前面に金属色のワイヤーが見えることを防ぎ、図５に示すように歯と同色の保護チューブ１が現れることにより審美的に優れたものとできる。また、保護チューブ１によりワイヤー１４の把持力が向上し、リテーナー８の安定性を優れたものにできる。
【００２７】
また、保護チューブ１の着色が気になったときや、汚れたときは、保護チューブ１をワイヤー１４から巻き解いて容易に取り外し、清掃したり新品の保護チューブ１に取り替えることができる。さらに、保護チューブ１は、既存のチューブを材料に、簡単な作製工程によって容易に形成することができる。
【００２８】
また、保護チューブ１を用いるリテーナーは上記例に限るものではなく、図５に示すように下顎用の歯科用リテーナーの場合も、上顎用のリテーナー８と同様に下前歯の唇側に渡されたワイヤー１８に保護チューブ１を巻装でき、かつ前歯部分でなく、既存のリテーナーのいずれの箇所にも容易に取り付け、取り外しができ、他の歯を保持したり、他の歯に渡されているワイヤーに巻装すると、保持力を補強できるとともに口腔内でのワイヤーの接触を良好にできる。
【００２９】
更に本考案の保護チューブ１は、保定装置であるリテーナーのみならず、保定装置を含む広い意味での矯正装置であって、口腔内に装着される矯正装置のワイヤー部分に用いることができる。これによれば、矯正装置に関して口腔内に露出するワイヤー部分に保護チューブを用いることにより、矯正装置の装着保持力を高め、粘膜や歯肉との接触感の向上、審美性の向上等をもたらすことができる。
【００３０】
【考案の効果】
本考案の外装部材は、次のような効果を有している。
【００３１】
請求項１に記載の考案によれば、歯列矯正、保定用に口腔内に装着される矯正装置のワイヤー外周部分に設けられる円筒状の弾性材からなる外装部材であって、前記ワイヤーの外径以下の内径で、螺旋形状に形成して構成したので、ワイヤーの把持力を向上させ、審美性を付与させることができる。また弾性材の外装部材をワイヤーの外周から巻きつけて矯正装置のワイヤーに正確に装着できる。また外装部材を巻き解くことにより、矯正装置から容易に取り外し、洗浄、交換等が繰り返しできる。外装部材の内径を、ワイヤーの外径以下としたのでワイヤーへの取り付け、固着を可能にできる。
【００３２】
請求項２に記載の考案によれば、歯列矯正後に装着し、該歯列を矯正後の状態に保定する歯科用リテーナーのワイヤー外周面に設けられる円筒状の弾性体からなるリテーナー用外装部材であり、前記ワイヤーの外径以下の内径で、螺旋形状に形成されていることとしたので、正確な位置へ繰り返し着脱でき、しかもワイヤーの把持力を向上させ、またワイヤーを覆ったことにより審美性を高めることができる。更に外装部材をリテーナーのワイヤーにワイヤーの外周から巻きつけて容易に装着、固定でき、また巻き解くことにより、外装部材をリテーナーから容易に取り外して、洗浄、交換等ができ衛生的にも優れたものとなる。また様々なタイプのリテーナーに応用することができ、矯正歯の保定期間中、患者に対し負担のかからないリテーナーを提供できる。
【００３３】
請求項３に記載の考案によれば、請求項２に記載のリテーナー用外装部材を、チューブの長手方向に沿って一端から他方の端部まで連続した切り込みを螺旋状に設けて形成したので、既存の材料を用いてリテーナー用外装部材を安価、容易に、しかも安全な材質を用いて形成できる。
【００３４】
請求項４に記載の考案によれば、請求項２または３に記載のリテーナー用外装部材において、ワイヤーに巻装した後、外装部材の端部を溶着するものとしたので、ワイヤーに巻装した外装部材をワイヤーから容易にはずれないようにできる。
【００３５】
請求項５に記載の考案によれば、請求項２〜４のいずれか１項に記載のリテーナー用外装部材において、外装部材が設けられる歯列の色調に合わせて外装部材を彩色したので、ワイヤーの金属色を覆い隠し、ワイヤー自体はもちろん外装部材自体を歯と同色とすることによりリテーナーの装着を目立たなくすることができる。
【００３６】
請求項６に記載の考案によれば、請求項２〜５のいずれか１項に記載のリテーナー用外装部材を、前歯部分の唇側に渡されたワイヤーに巻き付けることとしたので、前歯部分のワイヤーの保持力を増強でき、また歯と色調を同じにすることにより前歯部分のワイヤーを目立たなくできる。
【００３７】
請求項７に記載の考案によれば、請求項２〜５のいずれか１項に記載のリテーナー用外装部材を、歯列の唇側に沿って配設されたワイヤーに巻き付けて歯科用リテーナーを構成したので、かかる歯科用リテーナーによれば、口をあけたときに最も目立つ前歯唇側のワイヤーを目立たなくでき、また外装部材が有する弾性によりワイヤーの保定力を増大できる。また外装部材をリテーナーから容易に取り外し、洗浄、交換できる衛生的なリテーナーを提供できる。
【図面の簡単な説明】
【図１】本考案にかかる外装部材を示す斜視図である。
【図２】ワイヤーに保護チューブを嵌着する状態を示す図である。
【図３】ワイヤーに保護チューブを嵌着する状態を示す図である。
【図４】上顎用の歯科用リテーナーを示す平面図である。
【図５】上顎用の歯科用リテーナーの一部を示す正面図である。
【図６】下顎用の歯科用リテーナーを示す平面図である。
【図７】下顎用の歯科用リテーナーの一部を示す正面図である。
【符号の説明】
１…保護チューブ
２…切込部
１０…Ｃクラスプ
１１…レジン床
１２…補強ワイヤー
１３…架橋ワイヤー
１４、１８…ワイヤー
１５…Ｃクラスプ
１４Ａ，１８Ａ…Ｕ字状の支持部
【図１】
0003098699.tif 000003
【図２】
0003098699.tif 000004
【図３】
0003098699.tif 000005
【図４】
0003098699.tif 000006
【図５】
0003098699.tif 000007
【図６】
0003098699.tif 000008
【図７】
0003098699.tif 000009